(57)【特許請求の範囲】
【請求項１】
口部（２）を有する内容器体（３）と、挿通孔（１３）を有する外装体（４）と、内容器体（３）を外装体（４）に着脱自在に保持する保持体（５）とを備え、外装体（４）内に内容器体（３）を詰め替え自在に挿入して内容器体（３）の口部（２）を外装体（４）の挿通孔（１３）から、外部に突出させ、保持体（５）により、口部（２）を挿通孔（１３）から外部に突出した状態に保持するようにした詰め替え型容器（１）において、
前記内容器体（３）の口部（２）に外方突出した係合部（１０）が設けられ、前記外装体（４）の挿通孔（１３）の開口縁部に、口部（２）の挿通孔（１３）からの出退移動を許すべく係合部（１０）が通過可能な切欠凹部（１５）が設けられ、前記保持体（５）に、内容器体（３）の口部（２）が突出自在な連通孔（１９）が外装体（４）の挿通孔（１３）に連通するように設けられ、
保持体（５）の連通孔（１９）の開口縁部に、外装体（４）の切欠凹部（１５）を塞ぐと共に内容器体（３）の係合部（１０）を係合する係止部（２３）と、係合部（１０）が通過可能で外装体（４）の切欠凹部（１５）に連通可能な連通凹部（２２）とが設けられ、内容器体（３）の口部（２）を挿通孔（１３）から外方突出した状態に保持すべく係止部（２３）が係合部（１０）を係合する係合位置と、係止部（２３）が係合部（１０）から外れて連通凹部（２２）が切欠凹部（１５）に連通する係合解除位置とに移動するように、保持体（５）が外装体（４）に移動自在に装着され、
内容器体（３）の口部（２）が外装体（４）の挿通孔（１３）から出退するように、内容器体（３）は外装体（４）に対して移動自在に内嵌可能とされ、係合部（１０）が切欠凹部（１５）を通過可能となる位置で内容器体（３）の外装体（４）に対する口部（２）廻りの回動を規制する回動規制手段が、内容器体（３）と外装体（４）との間に設けられていることを特徴とする詰め替え型容器。
【請求項２】
前記回動規制手段は、外装体（４）が異形の筒状に形成されると共に、内容器体（３）が外装体（４）に対応する異形の筒状に形成されることにより構成されていることを特徴とする請求項１に記載の詰め替え型容器。
【請求項３】
前記回動規制手段は、内容器体（３）に設けた第二係合部（３１）と、外装体（４）に設けた第二係止部（３２）とにより構成され、内容器体（３）の外装体（４）に対する口部（２）廻りの回動を規制すると共に口部（２）が外装体（４）の挿通孔（１３）から出退する方向への移動を許容するように、前記第二係合部（３１）と第二係止部（３２）とが係合されていることを特徴とする請求項１に記載の詰め替え型容器。
【請求項４】
前記外装体（４）に、挿通孔（１３）を取り囲むように、環状凸部（１４）が設けられ、保持体（５）に、環状凸部（１４）に嵌合する嵌合部（２０）が設けられ、嵌合部（２０）と環状凸部（１４）とが嵌合されることにより、保持体（５）が、係合位置と係合解除位置とに移動するように、外装体（４）に対して挿通孔（１３）廻りに回動自在に装着されていることを特徴とする請求項１〜３のいずれかに記載の詰め替え型容器。
【請求項５】
外装体（４）と保持体（５）との間に、外装体（４）に対する保持体（５）の移動を、前記係合位置と係合解除位置との範囲に規制する移動規制機構（２４）が設けられていることを特徴とする請求項１〜４のいずれかに記載の詰め替え型容器。
【請求項６】
外装体（４）と保持体（５）との間に、外装体（４）に対して保持体（５）を、前記係合位置と係合解除位置とに位置決めする位置決め機構（２９）が設けられていることを特徴とする請求項１〜５のいずれかに記載の詰め替え型容器。
【発明の詳細な説明】
【０００１】
【産業上の利用分野】
本発明は、内容器体が外装体に着脱されて、内容器体が取り替えられる詰め替え型容器に関する。
【０００２】
【従来の技術】
詰め替え型容器として、例えば、図２３に示すものがある。この詰め替え型容器５０は、口部５１を有する内容器体５２と、両端が開口された外装体５３と、内容器体５２と外装体５３とが保持される保持体５４とを備え、外装体５３の上端部内周に複数の凹溝５５を設け、内容器体５２の肩部外周に外装体５３の凹溝５５に係合可能な複数の凸状リブ５６を設け、内容器体５２を外装体５３内に着脱自在に収納可能とし、凹溝５５と凸状リブ５６とを係合させ、外装体の上端部外周に保持体５４を螺合させて、凹溝５５と凸状リブ５６とを係合を解除させないようにして、口部５１が外装体５３の上端開口部から外部に突出した状態に保持されるものがある（実開平６−１３７１３号公報参照）。
【０００３】
【発明が解決しようとする課題】
かかる詰め替え型容器５０では、内容器体５２を外装体５３から取り外すには、螺合されている保持体５４を外装体５３から外し、内容器体５２の底部を押し上げる必要がある。また、内容器５２を外装体５３に収納保持するには、内容器体５２を外装体５３の上端開口部から挿入し、凹溝５５と凸状リブ５６とを係合させ、外装体５３の上端外周に保持体５４を螺合させる必要がある。
従って、内容器体５２を取り替える時には、外装体５３から保持体５４を必ず取り外し、また取り付けなければならず、前記保持体５４を紛失するおそれがあり、操作が面倒である。
【０００４】
本発明は、上記問題点に鑑み、保持体を外装体から取り外すことなく、外装体に収納されている内容器体を容易に取り替えられる容器を提供することを目的とする。
【０００５】
【課題を解決するための手段】
本発明は、前述の課題を解決するために、次の技術的手段を講じた。
即ち、本発明は、口部２を有する内容器体３と、挿通孔１３を有する外装体４と、内容器体３を外装体４に着脱自在に保持する保持体５とを備え、外装体４内に内容器体３を詰め替え自在に挿入して内容器体３の口部２を外装体４の挿通孔１３から、外部に突出させ、保持体５により、口部２を挿通孔１３から外部に突出した状態に保持するようにした詰め替え型容器１において、
前記内容器体３の口部２に外方突出した係合部１０が設けられ、前記外装体４の挿通孔１３の開口縁部に、口部２の挿通孔１３からの出退移動を許すべく係合部１０が通過可能な切欠凹部１５が設けられ、前記保持体５に、内容器体３の口部２が突出自在な連通孔１９が外装体４の挿通孔１３に連通するように設けられ、
保持体５の連通孔１９の開口縁部に、外装体４の切欠凹部１５を塞ぐと共に内容器体３の係合部１０を係合する係止部２３と、係合部１０が通過可能で外装体４の切欠凹部１５に連通可能な連通凹部２２とが設けられ、内容器体３の口部２を挿通孔１３から外方突出した状態に保持すべく係止部２３が係合部１０を係合する係合位置と、係止部２３が係合部１０から外れて連通凹部２２が切欠凹部１５に連通する係合解除位置とに移動するように、保持体５が外装体４に移動自在に装着され、
内容器体３の口部２が外装体４の挿通孔１３から出退するように、内容器体３は外装体４に対して移動自在に内嵌可能とされ、係合部１０が切欠凹部１５を通過可能となる位置で内容器体３の外装体４に対する口部２廻りの回動を規制する回動規制手段が、内容器体３と外装体４との間に設けられている。
【０００６】
従って、保持体５を係合位置に移動させると、外装体４に収納された内容器体３の口部２が突出した状態に保持でき、また、保持体５を係合解除位置に移動させると、内容器体３を外装体４から取り出せる状態にできる。そのため、保持体５を係合位置又は係合解除位置に移動させることにより、容易に外装体４から内容器体３を取り替えることができる。
また、内容器体３を外装体４に収納保持する場合、内容器体３を外装体４に挿入して、内容器体３の口部２を突出させ、保持体５を係合解除位置から係合位置に移動させると、内容器体３の係合部１０と保持体５の係止部２３とが係合し、内容器体３は外装体４から外れないように収納保持される。また、内容器体３を外装体４から取り外す場合、保持体５を係合位置から係合解除位置に移動させると、内容器体３の係合部１０と保持体５の係止部２３との係合が解除され、内容器体３は外装体４から容易に取り外すことができる。このため、保持体５の係止部２３を係合解除位置又は係合位置に移動させるだけで、保持体５を取り外すことなく容易に内容器体３を外装体４に着脱自在にできる。
【０００７】
また、内容器体３の係合部１０を外装体４の切欠凹部１５から外方突出させると、内容器体３の口部２が挿通孔１３から外方突出した状態になり、保持体５の係止部２３が切欠凹部１５を塞ぐことにより、内容器体３の係合部１０と保持体５の係止部２３とが係合し、内容器体３は外装体４から外れないように収納保持される。また、保持体５の係止部２３を切欠凹部１５から外すと、内容器体３の係合部１０と保持体５の係止部２３との係合が解除され、内容器体３は外装体４から容易に取り外すことができる。
【０００８】
また、外装体４と保持体５とが嵌着されていて、外装体４に対して保持体５を挿通孔１３廻りに回動させることにより、保持体５の係止部２３を係合位置と係合解除位置とに容易に移動させることができ、保持体５を取り外すことなく容易に内容器体３を外装体４に着脱自在にできる。
また、前記回動規制手段は、外装体４が異形の筒状に形成されると共に、内容器体３が外装体４に対応する異形の筒状に形成されることにより構成されている。
【０００９】
また、前記回動規制手段は、内容器体３に設けた第二係合部３１と、外装体４に設けた第二係止部３２とにより構成され、内容器体３の外装体４に対する口部２廻りの回動を規制すると共に口部２が外装体４の挿通孔１３から出退する方向への移動を許容するように、前記第二係合部３１と第二係止部３２とが係合されている。
また、前記外装体４に、挿通孔１３を取り囲むように、環状凸部１４が設けられ、保持体５に、環状凸部１４に嵌合する嵌合部２０が設けられ、嵌合部２０と環状凸部１４とが嵌合されることにより、保持体５が、係合位置と係合解除位置とに移動するように、外装体４に対して挿通孔１３廻りに回動自在に装着されている。
【００１０】
また、外装体４と保持体５との間に、外装体４に対する保持体５の移動を、前記係合位置と係合解除位置との範囲に規制する移動規制機構２４が設けられている。
外装体４と保持体５との間に、外装体４に対して保持体５を、前記係合位置と係合解除位置とに位置決めする位置決め機構２９が設けられている。
従って、保持体５の移動を係合位置と係合解除位置との範囲に規制し、保持体５が係合位置又は係合解除位置に位置決めされることにより、保持体５が外力を加えなければ移動することなくその位置に固定され、容易に保持体５を係合位置又は係合解除位置に合わせることができる。
【００１１】
【発明の実施の形態】
以下、本発明の実施の形態を図面に基づき説明する。
図１〜４において、１は詰め替え型容器で、口部２を有する内容器体３と、内容器体３の口部２に着脱できるキャップ（図示省略）と、内容器体３を着脱自在に収納する外装体４と、内容器体３を外装体４内に収納保持する保持体５とから構成されている。
図５〜７に示すように、内容器体３は、化粧品、食品、薬品、飲料等の内容物が充填される容器体で、ＰＥＴ樹脂等の合成樹脂、瓶、缶等で形成されている。底部を有する楕円形の筒状の胴部６を有すると共に、その上端部に肩部７を介して小径の口部２が設けられている。口部２の上部外周には雄ねじ９が設けられており、キャップが着脱自在に螺合されるようになっている。口部２に肩部７の楕円形の長軸方向に互いに対向した一対の係合部１０が設けられている。
【００１２】
図８、９に示すように、外装体４は、ＡＢＳ樹脂等の合成樹脂、瓶、管等で形成されている。そして、底部が開放されていて、楕円形の筒状の胴部１１が設けられている。内容器体３を外装体４の底部から挿入し、外装体４の胴部１１に内容器体３の胴部６を内嵌できるようになっている。外装体４の胴部１１の上端部に肩部１２を介して、内容器体３の口部２が出退移動できる挿通孔１３を有し、挿通孔１３を取り囲むように環状凸部１４が上方突出して設けられている。環状凸部１４に外方突出する環状係止部１６が設けられている。外装体４の肩部１２から環状凸部１４にわたって、各係合部１０を出退移動できる一対の切欠凹部１５が設けられている。
【００１３】
図１０〜１２に示すように、保持体５は、ポリプロピレン等の合成樹脂等で形成されている。外装体４の胴部１１に対応する楕円形状の天壁１７と周壁１８とを有し、外装体４の挿通孔１３に対応する連通孔１９が天壁１７に設けられている。連通孔１９は内容器体３の口部２が出退移動できるようになっている。天壁１７に、環状突起２１を有する嵌合部２０が設けられている。
保持体５の嵌合部２０と外装体４の環状凸部１４とを嵌合させて、外装体４に対して挿通孔１３廻りに保持体５が回動できるようにしている。保持体５の嵌合突起２１と外装体４の環状係止部１６とを係合させて、環状凸部１４が嵌合部２０から外れないようにしている。
【００１４】
保持体５の連通孔１９の開口縁部に、各切欠凹部１５を塞ぐ係止部２３が設けられると共に、連通凹部２２が一対設けられている。
そこで、保持体５の係止部２３が外装体４の各切欠凹部１５を塞いで内容器体３の各係合部１０と係合する位置を係合位置（図１３の実線）と、保持体５の係止部２３が外装体４の各切欠凹部１５から外れて内容器体３の各係合部１０の係合を解除する位置を係合解除位置（図１３の二点鎖線）とする。
前記各連通凹部２２は、係合解除位置のとき、外装体４の各切欠凹部１５と連通し、内容器体３の各係合部１０が通過できるように設けられている。
【００１５】
保持体５が係合解除位置のとき、内容器体３の口部２と各係合部１０とが、外装体４の挿通孔１３と各切欠凹部１５とを、そして保持体５の連通孔１９と各連通凹部２２とを通過し、内容器体３の口部２が保持体５から上方に突出し、内容器体３の係合部１０が保持体５の天壁１７上に突出する。そして、保持体５を係合位置に回動させると、外装体４の各切欠凹部１５と内容器体３の各係合部１０との間を塞いで係合され、内容器体３が外装体４から離脱できないようになっている。
【００１６】
また、図１３に示すように、外装体４と保持体５との間に、移動規制機構２４が設けられている。移動規制機構２４は、係止突起２６を有する係止片２７と、保持体５を係合位置までしか回動させない第一移動規制体２８ａと、保持体５を係合解除位置までしか回動させない第二移動規制体２８ｂとで構成されている。
係止片２７は、保持体５の嵌合部２０外壁に下方突出して、一対設けられている。外装体４の環状凸部１４縁部に、第一移動規制体２８ａ及び第二移動規制体２８ｂは係止片２７に対応して、一対設けられている。
【００１７】
保持体５を回動させると、各係止片２７が各第一移動規制体２８ａ又は各第二移動規制体２８ｂと接触し、保持体５が係合位置から係合解除位置までしか回動できないようになっている。
また、外装体４と保持体５との間に、位置決め機構２９が設けられている。位置決め機構２９は保持体５の係止片２７と、保持体５を係合位置に位置決めする第一位置決め体３０ａと、保持体５を係合解除位置に位置決めする第二位置決め体３０ｂとで構成されている。第一位置決め体は第一移動規制体２８ａと、第二位置決め体は第二移動規制体２８ｂと一体となって形成されている。
【００１８】
各係止片２７が各第一移動規制体２８ａ又は各第二移動規制体２８ｂに接触すると、各係止片２７の係止突起２６が各第一位置決め体３０ａ又は各第二位置決め体３０ｂと係合し、外力を加えなければ保持体５が回動することなくその位置に固定されるため、容易に保持体５を係合位置及び係合解除位置に合わせることができるようになっている。
尚、移動規制機構２４及び位置決め機構２９は上記のものに限定されるものでなく、また移動規制体２８と位置決め体３０とが一体とせず別途設けてもかまわない。
【００１９】
図５〜８に示すように、内容器体３の肩部７を介して口部２縁部に、肩部７の楕円形の短軸方向に互いに対向した一対の第二係合部３１を設けられている。外装体４の環状凸部１４内部に、各第二係合部３１と係合できる一対の第二係止部３２が設けられている。各第二係合部３１と各第二係止部３２とが係合することにより、外装体４と内容器体３とが回動不能とされている。内容器体３が外装体４の収納される位置に容易に収納され、内容器体３の各係合部１０が各切欠凹部１５と各連通凹部２２とを容易に通過できるようになっている。尚、第二係合部３１はいくつであってもよい。
上記実施の形態によれば、内容器体３を外装体４に収納保持する場合、保持体５を係合解除位置の状態にした後、内容器体３を外装体４の開口されている底部から挿入して収納すると、内容器体３の各第二係合部３１と外装体４の各第二係止部３２とが係合して、内容器体３の各係合部１０が、外装体４の各切欠凹部１５と外装体４に嵌着されている保持体５の各連通凹部２２とを容易に通過することができ、内容器体３の口部２が保持体５から上方突出し、内容器体３の各係合部１０が保持体５の天壁１７上に突出している状態になる。そこで、保持体５を係合位置に回動させると、内容器体３の各係合部１０と保持体５の係止部２３とが係合し、この係合により内容器体３は、外装体４に収納保持される。
【００２０】
次に、内容器体３を外装体４から取り外す場合、保持体５を係合解除位置に回動させて、内容器体３の各係合部１０、外装体４の各切欠凹部１５及び保持体５の各連通凹部２２とが一致し、内容器体３の各係合部１０が係合を解除され、内容器体３の口部２を押し下げると、内容器体３の各第二係合部３１と外装体４の各第二係止部との係合が解除され、内容器体３を外装体４の底部から抜き取れて、内容器体３を外装体４から取り外せる。
また、保持体５を回動させると、保持体５の各係止片２７が各第一移動規制体２８ａ又は各第二移動規制体２８ｂに接触するため、係合位置又は係合解除位置までしか回動しない。そして、各係止片２７の係止突起２６が各第一位置決め体３０ａ又は各第二位置決め体３０ｂと係合し、外力を加えなければ保持体が回動することなくその位置に固定されるため、容易に保持体５を係合位置及び係合解除位置に合わせることができるようになっている。
【００２１】
従って、保持体５を、内容器体３が外装体４から外せる係合解除位置又は内容器体３が外装体４に保持できる係合位置に回動させるという一動作で、内容器体３を外装体４に保持される状態又は外せる状態にすることができ、非常に簡単に内容器体３を外装体４から取り替えできる。
図１４〜１６は別の実施形態を示す。内容器体３を外装体４に挿入した状態で、内容器体３の係合部３４が保持体５の天壁１７から突出しないように設けられると共に、保持体５に係合位置の範囲内にくぼみ部３３が設けられている。くぼみ部３３が係止部２３とされ、係合部３４とくぼみ部３３とを係合させて、内容器体３が外装体４から離脱できないようにしている。
【００２２】
また、くぼみ部３３と連通凹部２２の上面を閉塞状態にし、係合部３４、くぼみ部３３及び連通凹部２２を見えないようにすることも可能である。
図１７に示すように、内容器体３の係合部１０の数は、いくつであってもよく  、その係合部１０の数により、切欠凹部１５及び連通凹部２２、又は切欠凹部１５及びくぼみ部３３の数が決定される。
そして、図１８、１９に示すように、内容器体３の係合部１０の形状も、四角形、円、三角形等その他の形状であってもよく、係合部１０の形状に対応して、切欠凹部１５及び連通凹部２２、又は切欠凹部２２及びくぼみ部３３の形状が決定される。
【００２３】
また、図２０〜２２に示すように、内容器体３、外装体４及び保持体５の形状も、円、四角形、多角形等その他の筒状であってもよい。
尚、保持体５を外装体４の肩部７に装着するようにしているが、これに代え、保持体５を外装体４の底部その他の位置に装着するようにしてもよい。
また、上記実施例は、保持体５を回動させることにより係合位置又は係合解除位置に合わせるようにしているが、これに代え、保持体５をスライド式に移動させることにより係合位置又は係合解除位置に合わせるようにしてもかまわない。
【００２４】
本発明は、上記実施の形態に限定されるものでない。
【００２５】
【発明の効果】
本発明によれば、保持体５を外装体４から取り外すことなく、また外装体４を回動させることなく、容易に外装体４に収納されている内容器体３を取り替えることができる。
【図面の簡単な説明】
【図１】  本発明の実施の形態を示す詰め替え型容器の係合位置における斜視図である。
【図２】  詰め替え型容器の係合解除位置における斜視図である。
【図３】  詰め替え型容器の係合位置における平面図である。
【図４】  図３のＡ−Ａ線断面図である。
【図５】  内容器体の平面図である。
【図６】  内容器体の側面図である。
【図７】  内容器体の側面図である。
【図８】  外装体の平面図である。
【図９】  図８のＢ−Ｂ線断面図である。
【図１０】  保持体の底面図である。
【図１１】  図１０のＣ−Ｃ線断面図である。
【図１２】  図１０のＤ−Ｄ線断面図である。
【図１３】  図４のＥ−Ｅ線断面図である。
【図１４】  別の実施形態の係合位置での斜視図である。
【図１５】  図１４の実施形態の係合解除位置での斜視図である。
【図１６】  くぼみ部の斜視図である。
【図１７】  別の実施形態の平面図である。
【図１８】  別の実施形態の平面図である。
【図１９】  別の実施形態の平面図である。
【図２０】  別の実施形態の平面図である。
【図２１】  別の実施形態の平面図である。
【図２２】  別の実施形態の平面図である。
【図２３】  従来例を示す詰め替え型容器の半欠側面断面図である。
【符号の説明】
１  詰め替え型容器
２  内容器体の口部
３  内容器体
４  外装体
５  保持体
１０  係合部
１３  挿通孔
１４  環状凸部
１５  切欠凹部
１９  連通孔
２０  嵌合部
２２  連通凹部
２３  係止部
２４  移動規制機構
２９  位置決め機構
【図１】
0003928996.tif 000002
【図２】
0003928996.tif 000003
【図３】
0003928996.tif 000004
【図４】
0003928996.tif 000005
【図５】
0003928996.tif 000006
【図６】
0003928996.tif 000007
【図７】
0003928996.tif 000008
【図８】
0003928996.tif 000009
【図９】
0003928996.tif 000010
【図１０】
0003928996.tif 000011
【図１１】
0003928996.tif 000012
【図１２】
0003928996.tif 000013
【図１３】
0003928996.tif 000014
【図１４】
0003928996.tif 000015
【図１５】
0003928996.tif 000016
【図１６】
0003928996.tif 000017
【図１７】
0003928996.tif 000018
【図１８】
0003928996.tif 000019
【図１９】
0003928996.tif 000020
【図２０】
0003928996.tif 000021
【図２１】
0003928996.tif 000022
【図２２】
0003928996.tif 000023
【図２３】
0003928996.tif 000024